(57)【要約】【課題】画像読取り手段からの画像データに基づき、原稿中に複写禁止原稿であることを示す所定のドットパターンが含まれているか否かを判定し、判定結果に応じた処理を行うことができる画像処理装置を提供する。【解決手段】複写禁止原稿判定手段１１３は、画像読取り手段からの一連の原稿にかかる画像データを画像データ蓄積手段１１２に蓄積しつつ、画像読取り手段により取得した画像データにかかる前記一連の原稿中に前記所定のドットパターンが含まれるかどうかを順に判定し、画像出力手段は、一連の原稿の全てについて前記所定のドットパターンが含まれないと判定された場合にのみ、画像データ蓄積手段１１２に蓄積した画像データにかかる一連の原稿画像をそのまま出力し、一連の原稿中の何れかに、複写禁止原稿であることを示す所定のドットパターンが含まれると判定された場合は、前記一連の原稿の画像出力を行わない。【選択図】  図１
2004200962.tif 000002
【特許請求の範囲】
【請求項１】
原稿を読み取る画像読取り手段と、
前記画像読取り手段からの画像データに基づき、前記原稿中に、複写禁止原稿であることを示す所定のドットパターンが含まれているか否かを判定する複写禁止原稿判定手段と、
前記画像読取り手段にて、複数枚の一連の原稿を走査して画像データを取得しつつ、これら一連の原稿にかかる画像データを蓄積する画像データ蓄積手段と、前記画像データ蓄積手段に蓄積された画像データにかかる画像を出力する画像出力手段とを有し、
前記複写禁止原稿判定手段は、前記画像読取り手段からの前記一連の原稿にかかる画像データを画像データ蓄積手段に蓄積しつつ、前記画像読取り手段により取得した画像データにかかる前記一連の原稿中に前記所定のドットパターンが含まれるかどうかを順に判定し、
前記画像出力手段は、
前記一連の原稿の全てについて前記所定のドットパターンが含まれないと判定された場合にのみ、前記画像データ蓄積手段に蓄積した画像データにかかる一連の原稿画像をそのまま出力し、
前記一連の原稿中の何れかに、複写禁止原稿であることを示す所定のドットパターンが含まれると判定された場合は、前記一連の原稿の画像出力を行わない、
ことを特徴とする画像処理装置。
【請求項２】
前記複写禁止原稿判定手段は、前記画像読取り手段が取得した画像データにかかる前記一連の原稿を画像データ蓄積手段に蓄積しながら、当該一連の原稿中に複写禁止原稿であることを示す所定のドットパターンが含まれるかどうかを順に判定し、ある原稿に前記所定のドットパターンが含まれると判定した場合には、前記画像読取り手段は当該判定時以降の前記画像データの読取りを中止し、かつ前記画像データ蓄積手段は当該判定時以降の前記画像データの蓄積を中止することを特徴とする請求項１に記載の画像処理装置。
【請求項３】
前記複写禁止原稿判定手段が、前記一連の原稿の何れかに複写禁止原稿であることを示す所定のドットパターンが含まれると判定した場合には、前記画像データ蓄積手段に蓄積した前記一連の原稿にかかる画像データを全て消去することを特徴とする請求項１または２に記載の画像処理装置。
【請求項４】
前記複写禁止原稿判定手段が、前記一連の原稿の何れかに複写禁止原稿であることを示す所定のドットパターンが含まれると判定した場合には、前記画像データ蓄積手段に蓄積した前記一連の原稿にかかる画像データに、管理者以外のユーザによる当該画像データにかかる画像の出力、または当該画像データへのアクセスを禁止するフラグ情報が付与されることを特徴とする請求項１または２に記載の画像処理装置。
【請求項５】
前記一連の原稿は、自動原稿送り装置に１回にセットされた複数枚の原稿であることを特徴とする請求項１から４の何れかに記載の画像処理装置。
【請求項６】
前記一連の原稿は、複数枚の原稿を１枚に集約して出力するモードの場合の当該１枚に集約される元の複数枚の原稿であることを特徴とする請求項１から４の何れかに記載の画像処理装置。
【請求項７】
前記一連の原稿は、複数枚の原稿の画像をソートして複数セット出力するモードの場合の当該複数枚の原稿であることを特徴とする請求項１から４の何れかに記載の画像処理装置。
【請求項８】
原稿を読み取る原稿読み取りステップと、
前記原稿読み取りステップにて読み取った原稿を走査して画像データを取得し、順次これら一連の原稿にかかる画像データを所定の画像データ蓄積装置に蓄積する画像データ蓄積ステップと、
前記原稿読み取りステップにて読み取った原稿中に、複写禁止原稿であることを示す所定のドットパターンが含まれているか否かを判定する複写禁止原稿判定ステップと、
画像データ蓄積装置に蓄積された画像データにかかる画像を出力する画像出力ステップとを有し、
前記複写禁止原稿判定ステップでは、前記画像データ蓄積ステップを実行しつつ、取得した画像データにかかる前記一連の原稿中に前記所定のドットパターンが含まれるかどうかを順に判定し、
前記画像出力ステップでは、
前記一連の原稿の全てについて前記所定のドットパターンが含まれないと判定された場合にのみ、前記所定の画像データ蓄積装置に蓄積した画像データにかかる一連の原稿画像をそのまま出力し、
前記一連の原稿中の何れかに、複写禁止原稿であることを示す所定のドットパターンが含まれると判定された場合は、前記一連の原稿の画像出力を行わない、
ことを特徴とする画像処理方法。
【請求項９】
前記複写禁止原稿判定ステップでは、前記画像データ蓄積ステップを実行しながら、当該一連の原稿中に複写禁止原稿であることを示す所定のドットパターンが含まれるかどうかを順に判定し、ある原稿に前記所定のドットパターンが含まれると判定した場合には、前記画像読取りステップおよび前記画像データ蓄積ステップの実行を中止することを特徴とする請求項８に記載の画像処理方法。
【請求項１０】
前記複写禁止原稿判定ステップにて、前記一連の原稿の何れかに複写禁止原稿であることを示す所定のドットパターンが含まれると判定した場合には、前記画像データ蓄積装置に蓄積した前記一連の原稿にかかる画像データを全て消去することを特徴とする請求項８または９に記載の画像処理方法。
【請求項１１】
前記複写禁止原稿判定ステップにて、前記一連の原稿の何れかに複写禁止原稿であることを示す所定のドットパターンが含まれると判定した場合には、前記画像データ蓄積装置に蓄積した前記一連の原稿にかかる画像データに、管理者以外のユーザによる当該画像データにかかる画像の出力、または当該画像データへのアクセスを禁止するフラグ情報が付与されることを特徴とする請求項８または９に記載の画像処理方法。
【請求項１２】
前記一連の原稿は、自動原稿送り装置に１回にセットされた複数枚の原稿であることを特徴とする請求項８から１１の何れかに記載の画像処理方法。
【請求項１３】
前記一連の原稿は、複数枚の原稿を１枚に集約して出力するモードの場合の当該１枚に集約される元の複数枚の原稿であることを特徴とする請求項８から１１の何れかに記載の画像処理方法。
【請求項１４】
前記一連の原稿は、複数枚の原稿の画像をソートして複数セット出力するモードの場合の当該複数枚の原稿であることを特徴とする請求項８から１１の何れかに記載の画像処理方法。
【発明の詳細な説明】
【０００１】
【発明の属する技術分野】
本発明は、画像読取り手段からの画像データに基づき、原稿中に複写禁止原稿であることを示す所定のドットパターンが含まれているか否かを判定し、判定結果に応じた処理を行うことができる画像処理装置および画像処理方法に関する。
【０００２】
【従来の技術】
従来、紙幣や公文書など偽造防止のため、これらの特定原稿に複写の禁止を意味する特定のドットパターンを付与しておき、これを原稿読み取り時に判定し、複写を禁止する画像処理装置が知られている。
【０００３】
また、複写機では、読み取った複数枚の原稿にかかる画像データを一旦メモリに保存しておき、ソートやページ集約などの処理を行う機能を備えるものも一般的である。この種の一連の複数枚の原稿に対するソートやページ集約などの処理では、従来の紙幣や公文書など偽造防止技術は、例えば特許文献１に記載されている。
【０００４】
この偽造防止技術では、図５に示すように、原稿画像が画像読取り手段９１により取得されると、複写禁止原稿判定手段９２は、当該原稿画像が複写禁止原稿か否かの判定を行う。当該原稿が複写禁止原稿でない場合には、通常の複写が行われ、画像加工手段９３は加工を施すことなく、読み取った画像データを画像データ蓄積手段９４に送出する。一方、複写禁止原稿判定手段９２が、原稿画像が複写禁止画像であると判断したときは、画像加工手段９３は、原稿画像に忠実な再現を防止した画像加工を施す。画像データ蓄積手段９４におけるソートやページ集約などの処理は通常どおり行われる。図５では、一連の原稿のうち、複写禁止原稿と判定された画像データの部分のみ忠実な再現を行わず、他の複写禁止原稿でない原稿はそのまま複写する。
【０００５】
【特許文献１】
特開２０００−１７５０３１
【０００６】
【発明が解決しようとする課題】
一方、原稿の情報の社外への持ち出しを禁止したいような機密文書に対しては、同様に複写禁止を意味する特定のドットパターンを付与しておき、これを原稿読み取り時に判定し、複写を禁止する画像処理装置も存在する。
しかし、やはり一連の複数枚の原稿に対してソートやページ集約などの処理を行う際に、それらの原稿の一部に複写禁止原稿判定される原稿が含まれているときは、従来の紙幣や公文書など偽造防止のための複写禁止機能付き複写機の構成だと、複写禁止された原稿の部分のみ原稿に忠実でない再現となる。しかし、それ以外の原稿部分はそのまま出力されてしまう結果、一連の原稿のすべてを複写禁止とすることができない。
【０００７】
社外等への持ち出しを禁止したいような機密文書（すなわち、複写を禁止したいような機密文書）においては、ソートやページ集約などの、処理を行う対象の一連の原稿の組みは、ひとまとまりの原稿セットと考えられる。したがって、この原稿セットの一部に複写禁止となっている機密原稿が含まれている場合には、この原稿セット全体について複写を禁止できることがセキュリティ上好ましい。
【０００８】
本発明は、画像読取り手段からの画像データに基づき、原稿中に複写禁止原稿であることを示す所定のドットパターンが含まれているか否かを判定し、判定結果に応じた処理を行うことができる画像処理装置および画像処理方法を提供することを目的とする。
【０００９】
【課題を解決するための手段】
本発明の画像処理装置は、原稿を読み取る画像読取り手段と、前記画像読取り手段からの画像データに基づき、前記原稿中に、複写禁止原稿であることを示す所定のドットパターン（たとえば、文字等の背景を構成するドットパターン）が含まれているか否かを判定する複写禁止原稿判定手段と、前記画像読取り手段にて、複数枚の一連の原稿を走査して画像データを取得しつつ、これら一連の原稿にかかる画像データを蓄積する画像データ蓄積手段と、前記画像データ蓄積手段に蓄積された画像データにかかる画像を出力する画像出力手段とを有し、前記複写禁止原稿判定手段は、前記画像読取り手段からの前記一連の原稿にかかる画像データを画像データ蓄積手段に蓄積しつつ、前記画像読取り手段により取得した画像データにかかる前記一連の原稿中に前記所定のドットパターンが含まれるかどうかを順に判定し、前記画像出力手段は、前記一連の原稿の全てについて前記所定のドットパターンが含まれないと判定された場合にのみ、前記画像データ蓄積手段に蓄積した画像データにかかる一連の原稿画像をそのまま出力し、前記一連の原稿中の何れかに、複写禁止原稿であることを示す所定のドットパターンが含まれると判定された場合は、前記一連の原稿の画像出力を行わない、ことを特徴とする。
【００１０】
本発明の画像処理装置では、前記複写禁止原稿判定手段は、前記画像読取り手段が取得した画像データにかかる前記一連の原稿を画像データ蓄積手段に蓄積しながら、当該一連の原稿中に複写禁止原稿であることを示す所定のドットパターンが含まれるかどうかを順に判定し、ある原稿に前記所定のドットパターンが含まれると判定した場合には、前記画像読取り手段は当該判定時以降の前記画像データの読取りを中止し、かつ前記画像データ蓄積手段は当該判定時以降の前記画像データの蓄積を中止するように構成できる。
【００１１】
また、本発明の画像処理装置では、前記複写禁止原稿判定手段が、前記一連の原稿の何れかに複写禁止原稿であることを示す所定のドットパターンが含まれると判定した場合には、前記画像データ蓄積手段に蓄積した前記一連の原稿にかかる画像データを全て消去することができる。
【００１２】
本発明の画像処理装置では、前記複写禁止原稿判定手段が、前記一連の原稿の何れかに複写禁止原稿であることを示す所定のドットパターンが含まれると判定した場合には、前記画像データ蓄積手段に蓄積した前記一連の原稿にかかる画像データに、管理者以外のユーザによる当該画像データにかかる画像の出力、または当該画像データへのアクセスを禁止するフラグ情報が付与されるように構成できる。
【００１３】
本発明の画像処理装置では、前記一連の原稿は、自動原稿送り装置（ＡＤＦ）に１回にセットされた複数枚の原稿とすることができ、複数枚の原稿を１枚に集約して出力するモードの場合の当該１枚に集約される元の複数枚の原稿とすることができ、複数枚の原稿の画像をソートして複数セット出力するモードの場合の当該複数枚の原稿とすることができる。
【００１４】
本発明の画像処理装置は、以上の構成により画像データ蓄積手段に蓄積された複写禁止原稿を含む一連の画像の印刷や、外部からネットワーク経由で読み出されたりすることを回避することができる。
【００１５】
本発明の画像処理方法は、原稿を読み取る原稿読み取りステップと、前記原稿読み取りステップにて読み取った原稿を走査して画像データを取得し、順次これら一連の原稿にかかる画像データを所定の画像データ蓄積装置に蓄積する画像データ蓄積ステップと、前記原稿読み取りステップにて読み取った原稿中に、複写禁止原稿であることを示す所定のドットパターンが含まれているか否かを判定する複写禁止原稿判定ステップと、画像データ蓄積手段に蓄積された画像データにかかる画像を出力する画像出力ステップとを有し、前記複写禁止原稿判定ステップでは、前記画像データ蓄積ステップを実行しつつ、取得した画像データにかかる前記一連の原稿中に前記所定のドットパターンが含まれるかどうかを順に判定し、前記画像出力ステップでは、前記一連の原稿の全てについて前記所定のドットパターンが含まれないと判定された場合にのみ、前記所定の画像データ蓄積装置に蓄積した画像データにかかる一連の原稿画像をそのまま出力し、前記一連の原稿中の何れかに、複写禁止原稿であることを示す所定のドットパターンが含まれると判定された場合は、前記一連の原稿の画像出力を行わない、ことを特徴とする。
【００１６】
本発明の画像処理方法において、前記複写禁止原稿判定ステップでは、前記画像データ蓄積ステップを実行しながら、当該一連の原稿中に複写禁止原稿であることを示す所定のドットパターンが含まれるかどうかを順に判定し、ある原稿に前記所定のドットパターンが含まれると判定した場合には、前記画像読取りステップおよび前記画像データ蓄積ステップの実行を中止することができる。
【００１７】
また、前記複写禁止原稿判定ステップにて、前記一連の原稿の何れかに複写禁止原稿であることを示す所定のドットパターンが含まれると判定した場合には、前記画像データ蓄積装置に蓄積した前記一連の原稿にかかる画像データを全て消去することができ、前記画像データ蓄積装置に蓄積した前記一連の原稿にかかる画像データに、管理者以外のユーザによる当該画像データにかかる画像の出力、または当該画像データへのアクセスを禁止するフラグ情報を付与することができる。
【００１８】
さらに、前記一連の原稿は、自動原稿送り装置に１回にセットされた複数枚の原稿であることもあるし、複数枚の原稿を１枚に集約して出力するモードの場合の当該１枚に集約される元の複数枚の原稿であることもあるし、複数枚の原稿の画像をソートして複数セット出力するモードの場合の当該複数枚の原稿であることもある。
【００１９】
【発明の実施の形態】
図１は本発明の画像処理装置の基本回路を示す図である。図１において、画像処理装置１１は、画像読取り手段１１１と、画像データ蓄積手段１１２と、複写禁止原稿判定手段１１３と、画像出力手段１１４とからなる。
【００２０】
画像読取り手段１１１はＡＤＦ（自動原稿送り手段）１１１１とイメージスキャナ部１１１２を含み、ＡＤＦにセットされた一連の原稿Ｄを順番に読み取ることができる。画像データ蓄積手段１１２は、メモリあるいはハードディスク等のストレージを含み、複写禁止原稿判定手段１１３は、読取り原稿からドットパターンの抽出を行うパターン抽出部１１３１と、少なくとも１つの基準パターンが記憶されたパターン記憶部１１３２と、抽出パターンと基準パターンとの比較を行うパターン比較部１１３３とを含む。画像出力手段１１４は、プロッタ（または図示しないデータ送信部）を含む。
【００２１】
画像処理装置１１は、全処理をモノクロ８ビットで処理するものとする。また、本実施形態では、出力モードには、単純に各１部ずつ複写する通常モード、複数枚の原稿を１枚に集約して出力する集約モード、複数枚の原稿を複数部それぞれのページ順にソートして出力するソート出力モードがあり、これらの何れかが選択される。
【００２２】
また、パターン抽出部１１３１は、たとえばドット（文字等の背景のドットパターン：すなわち地紋パターン）を検出し、ドットが複写が複写を禁じているドット密度なのか否かを判断できる。複写を禁じているドット密度のときは、ドット密度により当該ドットがベース領域に属するのかメッセージ領域に属するのかを判断することができる。
【００２３】
以下、図１の画像処理装置１１の動作を、図２のフロー図により説明する。
【００２４】
ＡＤＦ１１１１に複数枚の原稿がセットされると、スキャナー１１１２は各原稿を順に読み取る（Ｓ１０１）。画像データ蓄積手段１１２は、スキャナー１１１２により読み取られた原稿画像かかる画像データを順次蓄積する（Ｓ１０２）。
【００２５】
パターン抽出部１１３１は、スキャナー１１１２から送られる画像データについてのドットパターンを抽出し、この抽出した画像データをパターン記憶部１１３２の基準パターンとを比較し（Ｓ１０３）、原稿画像が複写禁止か否かをパターン比較部１１３３により判定する（Ｓ１０４）。
【００２６】
パターン比較部１１３３は、ＡＤＦ１１１１にセットされた原稿の全てについて複写禁止原稿でないという判定結果が出たときは（Ｓ１０５）、画像データ蓄積手段１１２に蓄積された画像データを、画像出力手段１１４のプロッタ（またはデータ送信部）に送る（Ｓ１０６）。
【００２７】
パターン比較部１１３３が、ＡＤＦ１１１１にセットされた複数枚の原稿の途中で複写禁止原稿という判定が出た場合は、画像データ蓄積手段１１２の画像データを画像出力手段１１４へ送らないよう制御したままとし、その時点以降の画像読取り手段１１１による原稿画像データの取得、画像データ蓄積手段１１２による当該画像データの蓄積を中止する（Ｓ１０７）。
【００２８】
複写禁止原稿判定手段１１３での判定結果がＡＤＦ１１１１にセットされた複数枚の原稿のすべてについて複写禁止原稿でないという判定が出た場合は、画像データ蓄積手段１１２の画像データを画像出力手段１１４に送り画像出力（プロッタによる印刷（またはデータ送信部からのデータ送信）を行う。
【００２９】
なお、すでに画像データ蓄積手段１１２に蓄積された画像データのすべてについて、管理者以外のユーザからの出力や、アクセスを禁止するフラグ情報を付与する（Ｓ１０８）。なお、この場合、画像データ蓄積手段１１２に蓄積された画像データを消去するようにしてもよい。
【００３０】
以下、本発明の第２実施形態を図３により説明する。第２実施形態では、図３に示すように、一連の原稿が、複数枚の原稿の画像を１枚に集約して出力する。このモードでは１枚に集約されて出力される。なお、図３の構成は、実質上図１と同様であるので各構成要素の説明はしない。また、処理の流れは第１実施形態の場合と実質上同一である。
【００３１】
一連の原稿ＤはＡＤＦ１１１１にセットされていてもよいし、またブック原稿の場合のように、ユーザが原稿台に１回ずつセットしてもよい。また、本実施形態では、画像データはモノクロ８ｂｉｔ画像信号とする。
【００３２】
本実施形態では、出力モードには予め集約モードが選択されているとする。集約モードには、たとえば原稿２枚を１枚に集約するモード、原稿４枚を１枚に集約するモード等がある。
【００３３】
まず、ＡＤＦ２１１１にセットされるか、ユーザが１回ずつセットした複数枚の原稿を画像読取り手段１１１で順にスキャンし、画像データ蓄積手段１１２に順次蓄積していく。同時に、画像読取り手段１１１からのモノクロ画像データを複写禁止原稿判定手段１１３で判定していく。
【００３４】
原稿がＡＤＦ１１１１にセットされている場合はセットされた全枚数の原稿、ユーザが１回ずつ原稿台にセットした場合は集約モードで１枚に集約される元の枚数分の原稿について、複写禁止原稿判定手段１１３が複写禁止原稿でないと判定するまでは、画像データ蓄積手段１１２の画像データは画像出力手段１１４へは送られない。
【００３５】
画像読取り手段１１１によるＡＤＦによる複数の原稿の読取りの途中で、当該読み取っている原稿について、複写禁止原稿判定手段１１３が複写禁止原稿であると判定をした場合は、画像データ蓄積手段１１２の画像データを画像出力手段１１４に送らないよう制御するとともに、その時点以降の原稿の画像データ取得、蓄積を中止するか、すでに蓄積された画像データ蓄積手段１１２の画像データをすべて消去する。
【００３６】
原稿が１回ずつ原稿台にセットされて純に集約モードで１枚に集約される場合において、元の原稿枚数の何れか一枚について複写禁止原稿判定手段１１３が複写禁止原稿であると判定をした場合も、画像データ蓄積手段１１２の画像データを画像出力手段に送らないよう制御するとともに、その時点以降の原稿の画像データ取得、蓄積を中止するか、すでに蓄積された画像データ蓄積手段１１２の画像データをすべて消去するか、あるいはすべてに管理者以外のユーザからの出力や、アクセスを禁止するフラグ情報を付与することもできる。
【００３７】
複写禁止原稿判定手段１１３での判定結果が、原稿がＡＤＦにセットされている場合はセットされた全枚数について、複写禁止原稿でないという判定がなされた場合は、その後画像データ蓄積手段１１２の画像データを画像出力手段１１４へ送り集約モードで出力する。
【００３８】
複写禁止原稿判定手段１１３での判定結果が、原稿がユーザが１回ずつ原稿台にセットして集約モードで１枚に集約される場合において、元の複数枚の原稿の全枚数について、複写禁止原稿でないという判定がなされたときにも、その後画像データ蓄積手段１１２の画像データを画像出力手段１１４へ送り集約モードで出力する。
【００３９】
以下、本発明の第３実施形態を図５により説明する。第３実施形態では、図５に示すように一連の画像データは、複数枚の原稿の画像をソートして複数セット出力する。なお、図３の構成は、実質上図１と同様であるので各構成要素の説明はしない。また、処理の流れは第１実施形態の場合と実質上同一である。
【００４０】
原稿はＡＤＦ（自動原稿送り装置）に１回にセットされていてもよいし、ブック原稿の場合のようにユーザが原稿台に１回ずつセットし、原稿の総枚数をユーザが指定する場合もある。画像データはモノクロ８ｂｉｔ画像信号とする。
【００４１】
まず、出力モードはソートして出力するモードが選択されているとする。ＡＤＦにセットされるか、ユーザが１回ずつセットした複数枚の原稿をスキャナー１１２で順にスキャンし、画像データ蓄積手段１１２に順次蓄積していく。これと同時に、スキャナー１１２からのモノクロ画像データを複写禁止原稿判定手段１１１３で判定していく。
【００４２】
つぎに、複写禁止原稿判定手段１１３での判定結果が、原稿がＡＤＦにセットされている場合はセットされた全枚数、ユーザが１回ずつ原稿台にセットした場合はユーザが指定した原稿総枚数の複数枚の原稿のすべてについて複写禁止原稿でないという判定が出るまでは、画像データ蓄積手段１１２の画像データを画像出力手段１１４へ送らないよう制御する。
【００４３】
複写禁止原稿判定手段１１３での判定結果が、原稿がＡＤＦにセットされている場合はセットされた全枚数について、複写禁止原稿という判定が出た場合は、画像データ蓄積手段１１２の画像データを画像出力手段１１４へ送らないよう制御したままとし、その時点以降の原稿の画像データ取得、蓄積を中止する。またすでに蓄積された画像データ蓄積手段１１２の画像データをすべて消去するか、またはすべてに管理者以外のユーザからの出力や、アクセスを禁止するフラグ情報を付与する。
【００４４】
複写禁止原稿判定手段１１３での判定結果が、原稿がユーザが１回ずつ原稿台にセットして集約モードで１枚に集約される場合において、元の複数枚の原稿の全枚数について、複写禁止原稿という判定がなされたときにも、画像データ蓄積手段１１２の画像データを画像出力手段１１４へ送らないよう制御したままとし、その時点以降の原稿の画像データ取得、蓄積を中止する。またすでに蓄積された画像データ蓄積手段１１２の画像データをすべて消去するか、またはすべてに管理者以外のユーザからの出力や、アクセスを禁止するフラグ情報を付与する。
【００４５】
複写禁止原稿判定手段での判定結果が、原稿がＡＤＦ１１１１にセットされている場合はセットされた全枚数について、複写禁止原稿でないという判定が出た場合は、その後画像データ蓄積手段１１２の画像データを画像出力手段１１４へ送りソートして出力する。
【００４６】
複写禁止原稿判定手段１１３での判定結果が、原稿がユーザが１回ずつ原稿台にセットして集約モードで１枚に集約される場合において、元の複数枚の原稿の全枚数について、複写禁止原稿でないという判定がなされたときにも、その後画像データ蓄積手段１１２の画像データを画像出力手段１１４へ送り集約モードで出力する。
【００４７】
【発明の効果】
原稿の情報を持ち出されたりすることを防ぎたいような機密文書においては、ソートやページ集約などの処理を行う対象の一連の原稿の組みはひとまとまりの原稿セットと考えられる。この一部に複写禁止された機密原稿が含まれていた場合に、本発明ではこの原稿セット全体について複写を禁止できるので強力なセキュリティを実現できる。
【００４８】
また一連の原稿に複写禁止原稿が含まれていると判定された場合に、それ以降の原稿の読み取りメモリなどへの蓄積が中止され、またそれまでに蓄積された画像データが再出力されたり、外部からネットワーク経由で読み出されたりするのを回避することができる。
【図面の簡単な説明】
【図１】本発明の画像処理装置の第１実施形態の基本回路を示す図である。
【図２】本発明の第１実施形態の動作を示すフロー図である。
【図３】本発明の画像処理装置の第１実施形態の基本回路を示す図である。
【図４】本発明の画像処理装置の第１実施形態の基本回路を示す図である。
【図５】従来の画像処理装置の基本回路を示す図である。
【符号の説明】
１１  画像処理装置
１１１  画像読取り手段
１１２  画像データ蓄積手段
１１３  複写禁止原稿判定手段
１１４  画像出力手段
１１１１  ＡＤＦ（自動原稿送り手段）
１１１２  イメージスキャナ部
１１３１  パターン抽出部
１１３２  パターン記憶部
１１３３  パターン比較部
【図１】
2004200962.tif 000003
【図２】
2004200962.tif 000004
【図３】
2004200962.tif 000005
【図４】
2004200962.tif 000006
【図５】
2004200962.tif 000007